(57)【要約】【課題】  表示バスと異なるネットワークによって、タイル表示システムを管理する。【解決手段】  タイル表示すステム１が、配列された複数の表示装置６1〜６Nと、各表示装置の表示データを伝送する表示バス２とを備える。各表示装置６1〜６Nは、表示バス２から表示データを受信し、表示データに応じて表示を行う表示部６Ｐと、表示部における表示の設定を制御するための表示設定制御部１２と、表示設定制御部１２の設定情報または表示設定制御部１２への設定命令を通信する通信ネットワークのためのインターフェース２０とを備える。通信ネットワークは、表示バス２とは異なるものである。タイル表示すステム１は、通信ネットワークを通じて、外部の端末５と表示装置６1〜６Nそれぞれとが互いに通信することができ、設定情報または設定命令を端末５と表示装置６1〜６Nとが通信することができる。【選択図】        図１
2007065098.tif 000002
【特許請求の範囲】
【請求項１】
配列された複数の表示装置と、各表示装置の表示データを伝送する表示バスとを備える映像表示システムであって、
各表示装置は、前記表示バスから前記表示データを受信し、前記表示データに応じて表示を行う表示部と、該表示部における表示の設定を制御するための表示設定制御部と、該表示設定制御部の設定情報または該表示設定制御部への設定命令を通信する、前記表示バスとは異なる通信ネットワークのためのインターフェースとを備え、
前記通信ネットワークを通じて、外部の端末と前記表示装置それぞれとが互いに通信することができ、前記設定情報または前記設定命令を該端末と前記表示装置とが通信することができる、映像表示システム。
【請求項２】
各表示装置は、
プロセッサと、
該プロセッサに、前記表示設定制御部から取得した前記設定情報のデータを、前記通信ネットワークを通じて前記端末へと送信させるためのＷＷＷサーバプログラムを格納する記憶手段と
を含み、
前記通信ネットワークがＴＣＰ／ＩＰ通信プロトコルによって動作する通信ネットワークである、請求項１に記載の映像表示システム。
【請求項３】
前記ＷＷＷサーバプログラムは、前記プロセッサに、前記設定命令に対応する前記端末からの設定命令入力を受信させ、前記設定命令を前記表示設定制御部へ送信させるものである、請求項２に記載の映像表示システム。
【請求項４】
請求項１〜３のいずれかに記載の映像表示システムと、通信ネットワークと、該通信ネットワークを通じて前記映像表示システムと通信可能な端末とを含む映像表示システムの管理システム。
【発明の詳細な説明】
【技術分野】
【０００１】
本発明は、複数の表示装置を使用して一つの表示を実現する表示装置を構成するタイル表示を行う映像表示システムに関し、特に、各表示装置から表示の設定に関するデータを得たり各表示装置を調整する映像表示システムに関する。
【背景技術】
【０００２】
従来、複数の表示装置をタイル状に配置して一つの表示を実現するタイル表示システムが知られている。このタイル表示システムは、タイリングディスプレイシステム、または、マルチスクリーンシステムとも呼ばれることがある。タイル表示システムにおいては、個々の表示装置の表示特性が均一にならずにばらつく場合がある。このような場合にタイル表示システム全体を用いて一つの大きな画像を表示すると、表示装置の表示特性の違いによってモザイク状の模様が観察されてしまう。そのため、表示品位を向上させるためには、個々の表示装置を調整してタイル表示システム全体の表示特性を均一化するように補正する必要がある。
【０００３】
このような補正を可能にするために、タイル表示システムの個々の表示装置には、その表示装置の稼動状況のデータを得たり、表示のためのパラメータを設定する表示制御装置が用いられている。従来のタイル表示システムでは、個々の表示装置の稼動状況を知りたい場合や、個々の表示装置を設定したい場合には、タイル表示システムが設置されている現場において、表示制御装置に備えられているランプやＬＥＤ等のインジケータを用いて表示制御装置の状態が確認されている。
【０００４】
タイル表示システムが大型である場合、タイル表示システムの設置場所と表示を確認できる場所とが離れていることが多い。このような場合であっても、従来のタイル表示システムにおいては、個々の表示装置の稼動状況を確認したり設定を行うためには、タイル表示システムの設置場所において取得する必要がある。
【０００５】
従来のタイル表示システムでは、表示制御装置にパーソナルコンピュータなどの外部機器を接続して、個々の表示装置の状態の確認や設定が確認行われることもある。特に、このようなタイル表示システムにおいて、外部機器からネットワークを経由して個々の表示装置の表示制御装置にアクセスすることが行われている（たとえば、特許文献１）。この従来の表示装置において個々の表示装置の設定や調整をする場合には、ＴＣＰ／ＩＰプロトコルが実装されたネットワークを用いて、インターネットおよびサーバコンピュータを経由して制御が行われている。
【特許文献１】特開２００２−２２９７６９号公報
【発明の開示】
【発明が解決しようとする課題】
【０００６】
上記特許文献１によれば、従来のタイル表示システムの個々の表示装置の稼動状況を確認したり表示装置の設定および調整を行うことがネットワークを経由して行うこともできる。しかし、特許文献１は、ネットワーク上にサーバコンピュータを必要とする。また、特許文献１の従来のタイル表示システムにおいては、サーバーコンピュータと通信を行うネットワークによって映像も伝送するため、ネットワークの通信容量を映像のデータ量に合わせて大きくする必要がある。
【０００７】
本発明は、上記問題点のうち少なくともいずれかを解決することを課題とする。
【課題を解決するための手段】
【０００８】
本発明においては、配列された複数の表示装置と、各表示装置の表示データを伝送する表示バスとを備えるタイル表示システムであって、各表示装置は、前記表示バスから前記表示データを受信し、前記表示データに応じて表示を行う表示部と、該表示部における表示の設定を制御するための表示設定制御部と、該表示設定制御部の設定情報または該表示設定制御部への設定命令を通信する、前記表示バスとは異なる通信ネットワークのためのインターフェースとを備え、前記通信ネットワークを通じて、外部の端末と前記表示装置それぞれとが互いに通信することができ、前記設定情報または前記設定命令を該端末と前記表示装置とが通信することができる、映像表示システムが提供される。
【０００９】
映像表示システムは、複数の表示装置を配列して構成されるタイル表示システムである。この個々の表示装置は、例えば、発光ダイオードを用いたＬＥＤ表示装置、プラズマディスプレイパネル（ＰＤＰ）表示装置、有機ＥＬ表示装置、液晶表示装置、陰極線管（ＣＲＴ）表示装置、フィールドエミッション表示装置、前面投射型表示装置、背面投射型表示装置など、特にその表示方式は問わない。個々の表示装置は、表示内容を観察者に提供する部分（表示部）が縦横に隣接するように配列されていて、配列された複数の表示装置の表示部全体によって一体の表示画像が提供される。
【００１０】
表示部には表示データが送信されるが、表示設定制御部は、その表示データか、あるいは表示部の表示特性を制御する信号かの少なくともいずれかを制御して、表示部における表示を設定する。表示設定制御部においては、例えば、表示輝度、カラーバランス、ガンマ、同期タイミングなど、用いる表示装置の表示方式および表示データの形式に従って、表示の設定が制御される。これにより、映像表示システムに含まれる表示装置の表示特性を均一にして表示品位を高めることができる。
【００１１】
通信ネットワークインターフェースは、例えば、ＩＥＥＥ８０２．３準拠のイーサネット（１０ＢＡＳＥ-Ｔ、１００ＢＡＳＥ-Ｔ、１０００ＢＡＳＥ-Ｔ）などの適当な物理層、データリンク層を有するネットワークと接続可能である。イーサネット以外には、例えば、ＩＥＥＥ８０２．１１規格準拠の無線ＬＡＮなどを用いることもできる。通信ネットワークインターフェースは、物理層、データリンク層等の規格を特定のものに限定するものではない。
【００１２】
本発明においては、通信ネットワークは表示データを伝送せず、通信ネットワークと表示バスとが分離されている。通信ネットワークが表示データを伝送しないため、表示データが大きな通信容量を必要とする場合であっても、通信ネットワークの通信容量をそれにあわせて大きくする必要はない。また、通信品質保証がベストエフォート型の保証しか得られないような信頼性の低い通信ネットワークを用いても映像表示システムの表示品位を管理することができる。
【００１３】
本発明においては、各表示装置は、プロセッサと、該プロセッサに、前記表示設定制御部から取得した前記設定情報のデータを、前記通信ネットワークを通じて前記端末へと送信させるためのＷＷＷサーバプログラムを格納する記憶手段とを含み、前記通信ネットワークがＴＣＰ／ＩＰ通信プロトコルによって動作する通信ネットワークであると好適である。
【００１４】
通信ネットワークは、ＴＣＰ／ＩＰによって動作することができる。そして、プロセッサは、典型的にはＬＳＩによって実現されるＭＰＵである。このプロセッサは、記憶手段に格納されたプログラムにしたがって、表示設定制御部から取得した設定情報のデータを、通信ネットワークにより通信可能な端末へと送信する。この機能は、例えば、表示設定制御部から設定情報のデータを適当な記憶手段に記憶しておいて、その設定情報をＨＴＴＰ（Ｈｙｐｅｒ  Ｔｅｘｔ  Ｔｒａｎｓｆｅｒ  Ｐｒｏｔｃｏｌ）によって送信してもよい。また、Ｐｅｒｌなどによって呼び出されるＣＧＩ（Ｃｏｍｍｏｎ  Ｇａｔｅｗａｙ  Ｉｎｔｅｒｆａｃｅ）プログラムに応じて動作する内部プログラムによって、ＭＰＵが表示設定制御部から設定情報のデータを取得し、取得したデータを端末に送信してもよい。ＷＷＷサーバプログラムは、通信ネットワークに接続されている端末に対してＨＴＴＰに従ってデータの送信が可能なプログラムを一般に指す。本発明においては、特に限定するものではないが、ＩＴＲＯＮ、組み込みＬｉｎｕｘなどの組込ＯＳ上において動作するＷＷＷサーバプログラムを用いることができる。
【００１５】
ＷＷＷサーバプログラムは、端末へと設定情報のデータを送信することができる。この設定情報は、表示設定制御部から取得できる任意のデータであるが、例えば、表示設定制御部の現在の設定データである。この設定データの例としては、例えば、表示部が発光表示を行う場合の最大輝度値の概算値や、中間階調の入力データに対してそれぞれの輝度値の割り当てを決めるガンマ値や、表示部がカラー表示である場合のカラーバランス値などである。ＷＷＷサーバプログラムと端末のブラウザプログラムが協働して端末の表示装置にこれらの数値が表示され得る。端末においてはブラウザプログラムではなく専用プログラムを動作させて、自動的にＷＷＷサーバからの設定情報を受信するものでもよい。
【００１６】
このように構成した映像表示システムにおいては、設定情報のデータがネットワークにつながった端末に送信されることができ、個々の表示装置の稼動状況が外部の端末に通知されるので、サーバコンピュータを特段用いなくとも映像表示システムの管理を行うことができる。
【００１７】
本発明においては、前記ＷＷＷサーバプログラムは、前記プロセッサに、前記設定命令に対応する前記端末からの設定命令入力を受信させ、前記設定命令を前記表示設定制御部へ送信させるものとするとさらに好適である。
【００１８】
ＷＷＷサーバプログラムは、端末から設定命令入力を受信することができる。この設定命令入力は、表示設定制御部に対する設定命令に対応している。この設定命令入力の例としては、ＷＷＷサーバプログラムと端末のブラウザプログラムが協働して端末の表示装置に表示する画面における、入力ボックス、ドロップダウンメニュー、ラジオボタン、チェックボックス等のコントロールに対応して通信ネットワーク上を伝送される入力情報であり、これらのコントロールによる端末からの入力情報には、表示設定制御部への設定命令が直接または間接に対応している。例えば、輝度を設定する入力ボックスが端末のブラウザ画面に表示された場合には、そこに入力した数値が設定命令入力となって表示装置内のＷＷＷサーバに伝達され、ＷＷＷサーバは、その数値に対応した設定命令を表示設定制御部に送信する。端末においてはブラウザプログラムではなく専用プログラムを動作させて、監視者の判断によらずに自動的にＷＷＷサーバに設定命令入力を送信するものであってもよい。
【００１９】
このような構成にすることにより、設定命令をネットワークにつながった端末から各表示装置に送信することができ、サーバコンピュータを特段用いなくとも映像表示システムの管理を行うことができる。
【００２０】
本発明においては、映像表示システムを管理するシステムが提供される。すなわち、上記いずれかの映像表示システムと、通信ネットワークと、該通信ネットワークを通じて前記映像表示システムと通信可能な端末とを含む映像表示システムの管理システムが提供される。このように映像表示システムの管理システムを構成することにより、サーバコンピュータを特段用いなくとも映像表示システムの管理を行うことができる。
【発明の効果】
【００２１】
本発明の映像表示システムや映像表示システムを管理するシステムにおいては、サーバコンピュータを特段用いなくとも映像表示システムの管理を行うことができる。
【発明を実施するための最良の形態】
【００２２】
以下図面を参照して、本発明の実施の形態について説明する。
図１は本発明のタイル表示システム１を含む管理システム１００の構成を示す説明図である。本実施の形態において、管理システム１００には、タイル表示システム１、ネットワーク４、パーソナルコンピュータ（ＰＣ）５が含まれている。タイル表示システム１は、複数の表示装置６1〜６Nと表示バス２と画像制御装置３とを含んでいる。その表示装置６1〜６Nのそれぞれは、表示される画像データが配信される表示バス２を介して画像制御装置３と接続されており、さらに、ネットワーク４にも接続されている。このネットワーク４にはＰＣ５が接続されている。
【００２３】
図２はタイル表示システム１の構成を示す外観図であり、図３は、図２に示したタイル表示システム１の構成を示す断面図である。タイル表示システム１は、複数の表示装置６1〜６Nを配列して表示を行う。表示装置６1〜６Nのそれぞれには、表示部６Ｐと表示装置制御部７が含まれている。表示装置６1〜６Nは、互いの表示部６Ｐが隣接するように配置されており、これにより、タイル表示装置１の表示部１Ｐが実現される。
【００２４】
図４は、本発明の実施形態の管理システム１００のネットワーク構成を示す図である。ネットワーク４は、例えば適当なルータ（図示しない）を介して接続されるインターネットなどのコンピュータネットワークである。そのネットワーク４にはハブ９が接続され、そのハブ９には、表示装置６1〜６Nに接続される１００Ｂａｓｅ−Ｔなどのネットワークケーブル８1〜８Nが接続される。ネットワーク４と表示装置６1〜６NとはＴＣＰ／ＩＰの通信プロトコルにより通信することができる。
【００２５】
図５は、表示装置６1〜６Nそれぞれの構成を示すブロック図であり、特に表示装置制御部７の構成を詳細に示す。表示装置制御部７の内部は、表示に関連する部分と表示装置の制御に関連する部分とによって構成される。
【００２６】
表示に関連する部分は、表示バスインタフェース１０、フレームメモリ１１、表示設定制御部１２を含む。表示データは、画像制御装置３から表示バス２を経由して送信される。この表示データは表示バスインタフェース１０を介してフレームメモリ１１に送られる。そして、表示データは、フレームメモリｌｌから表示設定制御部１２を経由して表示部６Ｐに送られる。
【００２７】
表示装置の制御に関連する部分は、組込制御部１８を含む。この組込制御部１８は、フラッシュメモリ１５、ＭＰＵ（ＭｉｃｒｏＰｒｏｃｅｓｓｏｒＵｎｉｔ）１６、ＲＡＭ（Ｒａｎｄｏｍ  Ａｃｃｅｓｓ  Ｍｅｍｏｒｙ）１７、ネットワークインタフェース部２０および組込制御バス１４を含む。このネットワークインタフェース部２０には、ネットワークケーブル８（８1〜８N）が接続される。また、組込制御バス１４は表示設定制御部１２へと接続されている。フラッシュメモリ１５は、ＭＰＵ１６を動作させるためのプログラムやデータを格納している。ＭＰＵ１６は、表示設定制御部１２を介して表示のためのフレームメモリ１１を書き込むことができる。
【００２８】
次に、本実施形態の管理システム１００の二つの動作態様について、図６および図７を用いて説明する。本実施形態の管理システム１００の第１の動作態様は、フレームメモリ１１の診断結果を表示装置６1〜６Nが自己診断して送信する動作である。図６はこの場合の処理動作を示すフローチャートである。この場合、まず、ＭＰＵ１６がフレームメモリ１１にメモリ診断用データを書き込む（Ｓ１０２）。この際のメモリ診断用データは、組込制御バス１６から表示設定制御部１２を経由してフレームメモリ１１へ流れる。次に、ＭＰＵ１６はフレームメモリ１１からメモリ診断用データを読み込む（Ｓ１０４）。この際のデータは、フレームメモリ１１から、表示設定制御部１２を経由して組込制御バス１４へ流れる。その後、ＭＰＵ１６では、既知の診断データとフレームメモリｌｌからのデータを照合して、フレームメモリｌｌの異常を検出する（Ｓ１０６）。
【００２９】
ＭＰＵ１６は、ネットワークインタフェース部２０を介して、予め設定されたネットワークの端末へそのフレームメモリ１１の異常情報を送出する（Ｓ１０８）。この異常情報を受け取ったＰＣ５では、表示装置監視用の専用ソフトウェアが動作しており、表示装置制御部７のフレームメモリ１１の異常を検出できる。異常情報は、フレームメモリ１１が以上であることを示すデータであるが、フレームメモリ１１に異常がある場合にのみ発信されてもよく、また、フレームメモリ１１が異常である場合に加えてフレームメモリ１１が正常である場合にも発信されて正常か異常かを区別できるデータとすることもできる。
【００３０】
本実施形態の管理システム１００の第２の動作態様は、温度センサー１３によって表示装置６1〜６Nの温度を検知し、温度データを発信する態様である。図７はこの場合の処理動作を示すフローチャートである。定期的にＭＰＵ１６が温度センサー１３のデータを取得する（Ｓ２０２、Ｓ２０４）。ＭＰＵ１６では、予め設定されている温度を超えた場合や一定温度が予め定められた時間より長く継続した場合など、予め定められている異常と判断する状況を検出する（Ｓ２０６）。ＭＰＵ１６は、予め設定されたネットワークの端末へその温度異常情報をネットワークインタフェース部２０を介して送出する（Ｓ２０８）。この異常情報を受け取ったＰＣ５では、表示装置監視用の専用ソフトウェアが動作しており、表示装置制御部７の温度異常が検出できる。なお、温度センサー１３は表示設定制御部１２に必ずしも接続される必要はなく、ＭＰＵ１６のアナログ入力端子などに接続していてもよい。
【００３１】
次に、本発明の実施形態において、表示装置制御部７が図５に示したように構成される場合に、プログラムによってＷＷＷサーバ機能をＭＰＵ１６に実現する。この場合のフラッシュメモリ１５のメモリマップを図８に示す。ＷＷＷサーバ機能をソフトウェアで実現するため、ＭＰＵ１６がアクセスするフラッシュメモリ１５に、組込制御用プログラム２１とは別にＷＷＷサーバ用プログラム２２を格納する。ＭＰＵ１６がＷＷＷサーバ用プログラム２２を実行することによって、ネットワーク４上の端末からは、表示装置６1〜６NがＷＷＷサーバを内蔵しているようにアクセスすることができる。図９に、ネットワーク４上の端末において表示されるウエブ画面の例を示す。このウエブ画面は、ＨＴＴＰプロトコルによってＷＷＷサーバにアクセスしたネットワーク４上の端末のソフトウェアが、ネットワーク４上の端末に接続された監視用の表示装置に描画するものである。ウエブ画面には、メモリ診断の結果、温度センサー状況、表示装置制御部７の状況が表示されている。
【００３２】
このようなＷＷＷサーバ機能を実現する実施形態において、ＷＷＷサーバによって情報を受信し、その受信動作に応じて表示の制御や調整を行なうことができる。図１０に、表示モードの設定や、最大輝度・色バランス等が表示されているウェブ画面の例を示す。このようなウエブ画面を通じて例えば、ＰＣ５から個々の表示装置６1〜６Nの表示を設定する。例えば、通常の画像を表示させるか調整画像を表示させるかを設定したり、表示の最大輝度を設定したり、色バランスを設定したりする。これらの設定に応じてウエブ画面のコントロールが設定されて、そのコントロールからのデータをＷＷＷサーバが受け取ると、ＷＷＷサーバとして機能するＭＰＵ１６は、組込制御バス１４を通じて表示設定制御部１２を設定する。表示設定制御部１２は、それに応じて、表示部６Ｐの表示内容を切り替えたり、表示の輝度や色バランスを変更する。
【００３３】
以上、本発明の実施の形態につき述べたが、本発明は既述の実施の形態に限定されるものではなく、本発明の技術的思想に基づいて各種の変形、変更および組合わせが可能である。例えば、端末において動作する専用プログラムは、複数の表示装置の管理が容易に行いうるように、インターフェースが工夫されていることができる。
【図面の簡単な説明】
【００３４】
【図１】本発明の実施形態のタイル表示システムを含むシステムの構成を示す説明図である。
【図２】本発明の実施形態のタイル表示システムの外観図である。
【図３】本発明の実施形態のタイル表示システムの断面図である。
【図４】本発明の実施形態のシステムのネットワーク構成を示す図である。
【図５】本発明の実施形態の各表示装置の構成を示すブロック図である。
【図６】本発明の実施形態のフレームメモリを自己診断し、メモリ異常を検出する場合の処理動作を示すフローチャートである。
【図７】本発明の実施形態の温度異常を検出する場合の処理動作を示すフローチャートである。
【図８】本発明の実施形態におけるフラッシュメモリのメモリマップである。
【図９】本発明の実施形態における端末において表示されるウエブ画面の例であり、メモリ診断の結果、温度センサー状況、表示装置制御部の状況が表示されている例である。
【図１０】本発明の実施形態における端末において表示されるウエブ画面の例であり、表示モードの設定や、最大輝度・色バランス等が表示されているウェブ画面である。
【符号の説明】
【００３５】
１     タイル表示システム
２     表示バス
３     表示制御装置
４     ネットワーク
５     パーソナルコンピュータ
６1-６N       表示装置
６Ｐ   表示部
７     表示装置制御部
８（８1-８N） ネットワークケーブル
９     ハブ
１０   表示バスインタフェース
１１   フレームメモリ
１２   表示設定制御部
１３   温度センサー
１４   組込制御バス
１５   フラッシュメモリ
１６   組込制御バス
１７   ＲＡＭ
１８   組込制御部
２０   ネットワークインタフェース部
２１   組込制御用プログラム
２２   サーバ用プログラム
１００ 管理システム
【図１】
2007065098.tif 000003
【図２】
2007065098.tif 000004
【図３】
2007065098.tif 000005
【図４】
2007065098.tif 000006
【図５】
2007065098.tif 000007
【図６】
2007065098.tif 000008
【図７】
2007065098.tif 000009
【図８】
2007065098.tif 000010
【図９】
2007065098.tif 000011
【図１０】
2007065098.tif 000012